(57)【要約】【課題】電子カードと電子製品との間に情報交換できるように電子カードを挿着するカード挿着装置を提供する。【解決手段】  底部に回路基板が設けられる絶縁本体と、電気的に該回路基板に接続される多数の端子組と、絶縁本体に位置決めされる本体と、その本体の対向側に設けられる多数の接触端子と導通端子を含む接続モジュールと、切換え端子組と、絶縁本体に位置決めされ切換え端子組の上に押えられる押え部品と、絶縁本体にも位置決めされかつ電気的に部分の切換え端子組の突付け端と接続モジュールとの間に接続される切換え部品とを含み、他の部分の切換え端子組の突付け端がこの切換え部品に介して電気的に回路基板の溶接部に接続される切換え機構とを備える。【選択図】図１
0003108332.tif 000002
【実用新案登録請求の範囲】
【請求項１】
底部に回路基板が設けられ、該回路基板の片側に溶接部が設けられる絶縁本体と、
共に電気的に該回路基板に接続される多数の端子組と、
絶縁本体に位置決めされる本体と、その本体の対向側に設けられる多数の接触端子と導通端子を含む接続モジュールと、
切換え端子組と、絶縁本体に位置決めされ切換え端子組の上に押えられる押え部品と、絶縁本体にも位置決めされかつ電気的に部分の切換え端子組の突付け端と接続モジュールとの間に接続される切換え部品とを含み、他の部分の切換え端子組の突付け端がこの切換え部品に介して電気的に回路基板の溶接部に接続される切換え機構とを、備えるカード挿着装置。
【請求項２】
該切換え機構の押え部品の両端は、各々一つの係止体が設けられ、前記の絶縁本体の相応部分に対応の係止部が設けられ、前記の押え部品の各係止体が、前記の絶縁本体の対応の係止部に係止され位置決めされる構成としたことを特徴とする請求項１に記載のカード挿着装置。
【請求項３】
前記の絶縁本体上に多数の位置決め柱が設けられ、前記切換え機構の切換え部品の相応部分に対応の位置決め孔が設けられ、前記の絶縁本体の各位置決め柱が、前記の切換え部品の各位置決め孔に貫通され位置決めされる構成としたことを特徴とする請求項１に記載のカード挿着装置。
【請求項４】
前記の絶縁本体上に多数の係止体が設けられ、前記接続モジュールの相応部分に対応の係止部が設けられ、前記の絶縁本体の各係止体が、前記の接続モジュールの対応の係止部に係止され位置決めされる構成としたことを特徴とする請求項１に記載のカード挿着装置。
【請求項５】
前記の切換え機構の押え部品は、さらに押え板が設けられ、前記押え板の下縁が切換え端子組の各端子の自由端を押し位置決めされ平面度が得られることを特徴とする請求項１に記載のカード挿着装置。
【請求項６】
前記の切換え機構の切換え部品は、その両対向側に設けられる第１、第２の導通部を有し、前記の接続モジュールの各導通端子が、第２の導通部に電気的に接続され、前記の切換え端子組が、第１の導通部に貫通することを特徴とする請求項１に記載のカード挿着装置。
【請求項７】
前記の切換え機構の切換え部品は、その両対向側に設けられる第１、第２の導通部を有し、前記の第１の導通部が、お互いに位置ずれの両列の突付け孔を有することを特徴とする請求項１に記載のカード挿着装置。
【請求項８】
さらに渋滞防止機構を増設する、この渋滞防止機構は、前記の絶縁本体の回路基板に設けられ、かつ、接続モジュールの接触端子と該多数の端子組との間に位置されることを特徴とする請求項１に記載のカード挿着装置。
【請求項９】
前記の渋滞防止機構は、回路基板に設けられる多数のばね部品と、該絶縁本体に規制される浮上板を含み、該浮上板の底面の各角隅が各ばね部品の付勢力で支持されることを特徴とする請求項８に記載のカード挿着装置。
【請求項１０】
さらに、該絶縁本体の上に覆われる該金属ケースが増設されることを特徴とする請求項１に記載のカード挿着装置。
【考案の詳細な説明】
【技術分野】
【０００１】
本考案は、カード挿着装置に関わるもので、とくに、電子カードと電子製品との間に情報交換できるように電子カードを挿着するもので、かつ、片側一列に全ての回路基板溶接ピンに突出しなければならないことを要求されるカード挿着装置に関するものである。
【背景技術】
【０００２】
カード挿着装置は、電子カードと電子製品との間に情報交換できるように電子カードを挿着するものであるが、現在の各種の規格、大きさの電子カードの種類は多いため、多種を一つにするカード挿着装置（また、マルチカード挿着装置）が出始めた。
【０００３】
これらのカード挿着装置は、多種の電子カードを挿着できなければならないため、第1種の電子カードを第1種の信号端子組より電気的に接続し、第２種の電子カードを第２種の信号端子組より電気的に接続し…など、順番にするように、内部に相応の信号端子組を設けなければならない。各信号端子組をカード挿着装置の回路基板の上に溶接しなければならなく、該回路基板に予め設けられる回路より、各信号端子組の信号パッドを該回路基板の各側辺に布設させ、各側辺の信号パッドより突出の溶接ピン（例えば、両辺に各一列）が電気的に設けられ、該回路基板がその各側辺の溶接ピンでＳＭＴの方式にて電子製品に溶接することで、多辺に溶接ピンが突出される第1種の従来の構造を形成する。第２種の従来の構造は、片側であるが、多列にその溶接ピン（例えば、片側双列）が突出される。
【考案の開示】
【考案が解決しようとする課題】
【０００４】
しかしながら、該多辺一列の第1種の従来の構造は、各辺の溶接ピン自体の平面度と各辺の間の共面度が共にコントロールしにくいため、溶接上の面倒になり、かつ、空溶接或は接触不良になり易いため不良品の形成に繋がり、さらに、溶接面が多すぎるので電子製品内の回路基板の使用空間が減少され、それに対して、該電子製品の回路基板の面積を増加させ電子部品或は回路を設けなければならないため、これらの電子製品を軽く、短く、かつ小さくする要求に達成できないことになる。
【０００５】
片側多列の第２種の従来の構造は、その外の列の溶接ピンが溶接上に大きな問題はないが、その内の列の溶接ピンが内の列にあるため溶接外れしやすく、さらにその溶接外れ部分に極めて溶接直しにくいので、色んな欠点があることは既に良く指摘されている。
【０００６】
さらに、現在の各種のカード挿着装置は共に固定構造であるもので、またも新しい電子カードが出てくるとき、或は他の組合構造に変わろうと思ったとき（例えば、ＸＤ、ＳＤ及びＳＭの三つを一つにする構造を、ＸＤ、ＳＤ及びＣＦの三つを一つにする構造に変わる）、或はある電子カードが遅れになってもう一種のカードで変わろうとするとき、共に別に型作りにて製造しなければならないので、製造コストを下げることができなくなり、かつ、多数変化の適応効果も達成できなくなり、例えば、ある電子製品は、ＸＤ、ＳＤ及びＳＭの三つを一つにする構造に適応し、もう一つの電子製品は、ＸＤ、ＳＤ及びＣＦの三つを一つにする構造に適応し、その差はただ一種で、もう二種は同じであるが、製造上にはそのうちの一種に変わることは出来ない。そのため、確かにコストが下げられなく多数変化も出来ない欠点がある。
【０００７】
そのため、そこで考案者は、これらの従来の技術の欠点がさらに改良する必要があると感じ、研究や設計に専念し、合理な設計且つ有効に上記の欠点を改善した本考案を提供した。
【課題を解決するための手段】
【０００８】
本考案のカード挿着装置の目的は、共にその回路基板を片側単列にその溶接ピンを突出させることができ、かつ、平面度を良好にすることで、溶接しやすく、溶接外れし難く、溶接直ししやすく、ならびに加工便利の効果を達成でき、かつ、そのうちの一つの電子カードの端子組をモジュール化の接続モジュールに設けさせることで、製造するときにモジュール化で他の構造に変わり易く、他の電子カードに適応できる効果があり、また、カード挿着装置全体に別に型作りにて製造する必要がなくなる。
【０００９】
前記の目的を達成するために、本考案は、底部に回路基板が設けられ、該回路基板の片側に溶接部が設けられる絶縁本体と、
共に電気的に該回路基板に接続される多数の端子組と、
絶縁本体に位置決めされる本体と、その本体の対向側に設けられる多数の接触端子と導通端子を含む接続モジュールと、
切換え端子組と、絶縁本体に位置決めされ切換え端子組の上に押えられる押え部品と、絶縁本体にも位置決めされかつ電気的に部分の切換え端子組の突付け端と接続モジュールとの間に接続される切換え部品とを含み、他の部分の切換え端子組の突付け端がこの切換え部品に介して電気的に回路基板の溶接部に接続される切換え機構とを、備えるカード挿着装置を提供する。
【考案を実施するための最良の形態】
【００１０】
本考案の特徴及び技術内容を更に理解させるため、以下の本考案に係わる詳細な説明及び添付図面を参考する。
【００１１】
図１〜図６を参照すると、本考案は、電子カード９と電子製品との間に情報交換できるように電子カード９を挿着するカード挿着装置を提供し、該カード挿着装置は電気的かつ機械的に該電子製品に接続される。該カード挿着装置は、底部に回路基板２が設けられる絶縁本体１と、多数の端子組３と、渋滞防止機構４と、接続モジュール６と、切換え機構５と、金属ケース７と、前プレート８とを備える。
【００１２】
絶縁本体１は、開口１４を有するＵ字状であり、その両側の後端に各々第1の係止部１１が設けられ、その後ろ側（図２に示されるように）に多数の端子溝１５が設けられ、その上に1対の第２の係止部１２と１対の位置決め柱１３が設けられ、この回路基板２の後ろ側にも溶接部２１が設けられ、溶接部２１の位置は端子溝１５の居場所に対応して、後記の切換え端子組５３の各端子を位置決めし、かつ、溶接部２１はお互い別れる両列の構造である。
【００１３】
これらの端子組３は、第１〜第３の端子組３１〜３３を含み、かつ、各々電気的に回路基板２に接続される。
【００１４】
渋滞防止機構４は、回路基板２に設けられる多数のばね部品４２と、絶縁本体１に規制され上方向に脱出出来ない浮上板４１を含み、浮上板４１の底面の各角隅が各ばね部品４２の付勢力で支持され弾性的に浮び上りや弾性的に沈み落ちの機能があるため、ユーザが既に第1の位置に電子カード９を挿入し、浮上板４１を押下し沈ませる（或は浮上板４１の下に当接し支持する）とき、もう一つの電子カードが、第２の位置で挿入出来なくなり、渋滞防止の効果がある。また、渋滞防止機構４は、回路基板２に設けられ、かつ、接続モジュール６の接触端子６２と多数の端子組３との間に位置される。
【００１５】
接続モジュール６は、絶縁本体１に設けられる本体６０と、その本体の対向側に設けられる多数の接触端子６２と多数の導通端子６１を含み、本体６０の両対向端には各々一つの第２の係止部６０１が設けられ、両凹溝状の第２の係止部６０１が、絶縁本体１の弾性係止アーム状になる第２の係止部１２に対して、お互いに係止され位置決めされる。
【００１６】
切換え機構５は、切換え端子組５３と、絶縁本体１に位置決めされ切換え端子組５３の上に押えられる押え部品５２と、絶縁本体１にも位置決めされかつ電気的に部分の切換え端子組５３の突付け端５３５と接続モジュール６との間に接続される切換え部品５１とを含み、他の部分の切換え端子組５３の突付け端５３４がこの切換え部品５１に介して電気的に回路基板２の溶接部２１に接続される。
【００１７】
押え部品５２の両端は、各々一つの第１の係止体５２１が設けられ、各第１の係止体５２１が、絶縁本体１の第１の係止部１１に対して、お互いに係止され位置決めされる。切換え部品５１の両端は、各々一つの位置決め孔５１３が設けられ、各位置決め孔５１３が、絶縁本体１の位置決め柱１３に対して、お互いに貫通され位置決めされ、かつ、切換え部品５１は、両対向側に設けられる第１、第２の導通部５１１、５１２を有し、接続モジュール６の各導通端子６１を切換え部品５１の第２の導通部５１２に電気的に接続可能になり、これらの導通端子６１は、図に示すような挟着端子構造或は他の図に示されない構造（これは従来の技術で、説明を省略）であり、その第１の導通部５１１は、切換え端子組５３の全ての突付け端５３４、５３５より貫通するためである。また、その第１の導通部５１１は、お互い位置ずれの両列の突付け挿孔を有することで、切換え端子組５３の挿着を交互に置ずれ可能にし、ピッチを減少するなどの効果がある。好ましいのは、切換え機構５の押え部品５２はさらに押え板５２２が増設され、押え板５２２の下縁は、切換え端子組５３の各端子の自由端（溶接端）を押し位置決めされ、かつ、各自由端（溶接端）に平面度が得られ、ＳＭＴ溶接しやすくなる。
【００１８】
切換え端子組５３は、第１〜第３の組５３１〜５３３を含み、その中には、両側に位置され比較的に短い突付け端５３５がある第１、第２の組５３１、５３２は、その突付け端５３５を切換え部品５１の第１の導通部５１１の対応部分に挿着させ、接続モジュール６からの信号を伝送しており、また中間に位置され比較的に長い突付け端５３４がある第３の組５３３は、その突付け端５３４を切換え部品５１の第１の導通部５１１の対応部分に挿着させ、かつ、各比較的に長い突付け端５３４がさらに電気的に回路基板２の溶接部２１に接続され、端子組３からの信号を伝送する。また、前記の第１〜第３の組５３１〜５３３は、個別に挿着してからの端子自由端に延び出し同じ列になり、押え板５２２より押され、位置決めされ平面度が得られる。
【００１９】
金属ケース７は、絶縁本体１の上に覆われる。前プレート８は、絶縁本体１の前側開口１４に設けられ、カードを挿着するときの位置制限としての用途である。このようにして、本考案の該実施例のカード挿着装置を構成する。
【００２０】
そのため、本考案の該実施例の全ての端子組３と接続モジュール６は、切換え機構５の切換えによりその端子溶接端を片側一列に突出することができ、切換え端子組５３の全ての溶接端が、さらに押え板５２２の押しにより位置決めされ平面度が得られ、また、接続モジュール６と切換え部品５１は、共に着脱できるため、製造者は必要に応じてモジュール化に取り外して交換させ（例えば、元々ＳＭカードに適応する接続モジュールと切換え部品を、ＣＦカードに適応する接続モジュールと切換え部品に交換する。）、他の電子カードに適応し、かつ、カード挿着装置全体に別に型作りにて製造する必要がなくなり、製造コストが下げられる。
【産業上の利用可能性】
【００２１】
以上のように、本考案の構造は、切換え機構５の切換え及び押え板５２２の押しにより、共に確実かつ有効にその回路基板２を片側一列に切換え端子組５３の自由端の各溶接端を突出させることができ、かつ、平面度を良好にすることで、溶接しやすく、溶接漏らし難く、溶接外れし難く、溶接直しやすく、ならびに加工便利の効果を達成でき、かつ、そのうちの一つの電子カードの端子組をモジュール化の接続モジュール６に設けさせ、かつ、切換え機構５も相応の切換え部品５１で配合することで、製造するときにモジュール化で他の構造に変わり易く、他の電子カードに適応できる効果があり、また、カード挿着装置全体に別に型作りにて製造する必要がなくなり、製造コストが下げられる。
【図面の簡単な説明】
【００２２】
【図１】本考案のカード挿着装置の分解斜視図である。
【図２】本考案のカード挿着装置の背面から見るときの部分分解斜視図である。
【図３】本考案のカード挿着装置の背面から見るよきの部分組合斜視図である（接続モジュール、切換え部品及び金属ケースなど共に取り付けされない）。
【図４】本考案のカード挿着装置の背面から見るときの組合斜視図である。
【図５】本考案のカード挿着装置の断面を示す図（一）である。
【図６】本考案のカード挿着装置の断面を示す図（二）である。
【符号の説明】
【００２３】
１絶縁本体
２回路基板
３端子組
４渋滞防止機構
５切換え機構
６接続モジュール
７金属ケース
８前プレート
９電子カード
１１第1の係止部
１２第２の係止体
１３位置決め柱
１４開口
１５端子溝
２１溶接部
３１〜３３第１〜第３の端子組
４１浮上板
４２ばね部品
５１切換え部品
５２押え部品
５３切換え端子組
６０本体
６１導通端子
６２接触端子
５１１、５１２第１、第２の導通部
５１３位置決め孔
５２１第１の係止体
５２２押え板
５３１〜５３３第１〜第３の組
５３４突付け端
５３５突付け端
６０１第２の係止部
【図１】
0003108332.tif 000003
【図２】
0003108332.tif 000004
【図３】
0003108332.tif 000005
【図４】
0003108332.tif 000006
【図５】
0003108332.tif 000007
【図６】
0003108332.tif 000008
【手続補正書】
【提出日】平成16年12月7日(2004.12.7)
【手続補正１】
【補正対象書類名】明細書
【補正対象項目名】０００６
【補正方法】変更
【補正の内容】
【０００６】
さらに、現在の各種のカード挿着装置は共に固定構造であるもので、またも新しい電子カードが出てくるとき、或は他の組合構造に変わろうと思ったとき（例えば、ＸＤ（登録商標）、ＳＤ及びＳＭの三つを一つにする構造を、ＸＤ（登録商標）、ＳＤ及びＣＦ（登録商標）の三つを一つにする構造に変わる）、或はある電子カードが遅れになってもう一種のカードで変わろうとするとき、共に別に型作りにて製造しなければならないので、製造コストを下げることができなくなり、かつ、多数変化の適応効果も達成できなくなり、例えば、ある電子製品は、ＸＤ（登録商標）、ＳＤ及びＳＭの三つを一つにする構造に適応し、もう一つの電子製品は、ＸＤ（登録商標）、ＳＤ及びＣＦ（登録商標）の三つを一つにする構造に適応し、その差はただ一種で、もう二種は同じであるが、製造上にはそのうちの一種に変わることは出来ない。そのため、確かにコストが下げられなく多数変化も出来ない欠点がある。
【手続補正２】
【補正対象書類名】明細書
【補正対象項目名】００２０
【補正方法】変更
【補正の内容】
【００２０】
そのため、本考案の該実施例の全ての端子組３と接続モジュール６は、切換え機構５の切換えによりその端子溶接端を片側一列に突出することができ、切換え端子組５３の全ての溶接端が、さらに押え板５２２の押しにより位置決めされ平面度が得られ、また、接続モジュール６と切換え部品５１は、共に着脱できるため、製造者は必要に応じてモジュール化に取り外して交換させ（例えば、元々ＳＭカードに適応する接続モジュールと切換え部品を、ＣＦ（登録商標）カードに適応する接続モジュールと切換え部品に交換する。）、他の電子カードに適応し、かつ、カード挿着装置全体に別に型作りにて製造する必要がなくなり、製造コストが下げられる。
【手続補正書】
【提出日】平成16年12月7日(2004.12.7)
【手続補正１】
【補正対象書類名】明細書
【補正対象項目名】全文
【補正方法】変更
【補正の内容】
【考案の詳細な説明】
【技術分野】
【０００１】
本考案は、カード挿着装置に関わるもので、とくに、電子カードと電子製品との間に情報交換できるように電子カードを挿着するもので、かつ、片側一列に全ての回路基板溶接ピンに突出しなければならないことを要求されるカード挿着装置に関するものである。
【背景技術】
【０００２】
カード挿着装置は、電子カードと電子製品との間に情報交換できるように電子カードを挿着するものであるが、現在の各種の規格、大きさの電子カードの種類は多いため、多種を一つにするカード挿着装置（また、マルチカード挿着装置）が出始めた。
【０００３】
これらのカード挿着装置は、多種の電子カードを挿着できなければならないため、第１種の電子カードを第１種の信号端子組より電気的に接続し、第２種の電子カードを第２種の信号端子組より電気的に接続し…など、順番にするように、内部に相応の信号端子組を設けなければならない。各信号端子組をカード挿着装置の回路基板の上に溶接しなければならなく、該回路基板に予め設けられる回路より、各信号端子組の信号パッドを該回路基板の各側辺に布設させ、各側辺の信号パッドより突出の溶接ピン（例えば、両辺に各一列）が電気的に設けられ、該回路基板がその各側辺の溶接ピンでＳＭＴの方式にて電子製品に溶接することで、多辺に溶接ピンが突出される第１種の従来の構造を形成する。第２種の従来の構造は、片側であるが、多列にその溶接ピン（例えば、片側双列）が突出される。
【考案の開示】
【考案が解決しようとする課題】
【０００４】
しかしながら、該多辺一列の第１種の従来の構造は、各辺の溶接ピン自体の平面度と各辺の間の共面度が共にコントロールしにくいため、溶接上の面倒になり、かつ、空溶接或は接触不良になり易いため不良品の形成に繋がり、さらに、溶接面が多すぎるので電子製品内の回路基板の使用空間が減少され、それに対して、該電子製品の回路基板の面積を増加させ電子部品或は回路を設けなければならないため、これらの電子製品を軽く、短く、かつ小さくする要求に達成できないことになる。
【０００５】
片側多列の第２種の従来の構造は、その外の列の溶接ピンが溶接上に大きな問題はないが、その内の列の溶接ピンが内の列にあるため溶接外れしやすく、さらにその溶接外れ部分に極めて溶接直しにくいので、色んな欠点があることは既に良く指摘されている。
【０００６】
さらに、現在の各種のカード挿着装置は共に固定構造であるもので、またも新しい電子カードが出てくるとき、或は他の組合構造に変わろうと思ったとき（例えば、ＸＤ（登録商標）、ＳＤ及びＳＭの三つを一つにする構造を、ＸＤ（登録商標）、ＳＤ及びＣＦ（登録商標）の三つを一つにする構造に変わる）、或はある電子カードが遅れになってもう一種のカードで変わろうとするとき、共に別に型作りにて製造しなければならないので、製造コストを下げることができなくなり、かつ、多数変化の適応効果も達成できなくなり、例えば、ある電子製品は、ＸＤ（登録商標）、ＳＤ及びＳＭの三つを一つにする構造に適応し、もう一つの電子製品は、ＸＤ（登録商標）、ＳＤ及びＣＦ（登録商標）の三つを一つにする構造に適応し、その差はただ一種で、もう二種は同じであるが、製造上にはそのうちの一種に変わることは出来ない。そのため、確かにコストが下げられなく多数変化も出来ない欠点がある。
【０００７】
そのため、そこで考案者は、これらの従来の技術の欠点がさらに改良する必要があると感じ、研究や設計に専念し、合理な設計且つ有効に上記の欠点を改善した本考案を提供した。
【課題を解決するための手段】
【０００８】
本考案のカード挿着装置の目的は、共にその回路基板を片側単列にその溶接ピンを突出させることができ、かつ、平面度を良好にすることで、溶接しやすく、溶接外れし難く、溶接直ししやすく、ならびに加工便利の効果を達成でき、かつ、そのうちの一つの電子カードの端子組をモジュール化の接続モジュールに設けさせることで、製造するときにモジュール化で他の構造に変わり易く、他の電子カードに適応できる効果があり、また、カード挿着装置全体に別に型作りにて製造する必要がなくなる。
【０００９】
前記の目的を達成するために、本考案は、底部に回路基板が設けられ、該回路基板の片側に溶接部が設けられる絶縁本体と、
共に電気的に該回路基板に接続される多数の端子組と、
絶縁本体に位置決めされる本体と、その本体の対向側に設けられる多数の接触端子と導通端子を含む接続モジュールと、
切換え端子組と、絶縁本体に位置決めされ切換え端子組の上に押えられる押え部品と、絶縁本体にも位置決めされかつ電気的に部分の切換え端子組の突付け端と接続モジュールとの間に接続される切換え部品とを含み、他の部分の切換え端子組の突付け端がこの切換え部品に介して電気的に回路基板の溶接部に接続される切換え機構とを、備えるカード挿着装置を提供する。
【考案を実施するための最良の形態】
【００１０】
本考案の特徴及び技術内容を更に理解させるため、以下の本考案に係わる詳細な説明及び添付図面を参考する。
【００１１】
図１〜図６を参照すると、本考案は、電子カード９と電子製品との間に情報交換できるように電子カード９を挿着するカード挿着装置を提供し、該カード挿着装置は電気的かつ機械的に該電子製品に接続される。該カード挿着装置は、底部に回路基板２が設けられる絶縁本体１と、多数の端子組３と、渋滞防止機構４と、接続モジュール６と、切換え機構５と、金属ケース７と、前プレート８とを備える。
【００１２】
絶縁本体１は、開口１４を有するＵ字状であり、その両側の後端に各々第１の係止部１１が設けられ、その後ろ側（図２に示されるように）に多数の端子溝１５が設けられ、その上に１対の第２の係止部１２と１対の位置決め柱１３が設けられ、この回路基板２の後ろ側にも溶接部２１が設けられ、溶接部２１の位置は端子溝１５の居場所に対応して、後記の切換え端子組５３の各端子を位置決めし、かつ、溶接部２１はお互い別れる両列の構造である。
【００１３】
これらの端子組３は、第１〜第３の端子組３１〜３３を含み、かつ、各々電気的に回路基板２に接続される。
【００１４】
渋滞防止機構４は、回路基板２に設けられる多数のばね部品４２と、絶縁本体１に規制され上方向に脱出出来ない浮上板４１を含み、浮上板４１の底面の各角隅が各ばね部品４２の付勢力で支持され弾性的に浮び上りや弾性的に沈み落ちの機能があるため、ユーザが既に第１の位置に電子カード９を挿入し、浮上板４１を押下し沈ませる（或は浮上板４１の下に当接し支持する）とき、もう一つの電子カードが、第２の位置で挿入出来なくなり、渋滞防止の効果がある。また、渋滞防止機構４は、回路基板２に設けられ、かつ、接続モジュール６の接触端子６２と多数の端子組３との間に位置される。
【００１５】
接続モジュール６は、絶縁本体１に設けられる本体６０と、その本体の対向側に設けられる多数の接触端子６２と多数の導通端子６１を含み、本体６０の両対向端には各々一つの第２の係止部６０１が設けられ、両凹溝状の第２の係止部６０１が、絶縁本体１の弾性係止アーム状になる第２の係止部１２に対して、お互いに係止され位置決めされる。
【００１６】
切換え機構５は、切換え端子組５３と、絶縁本体１に位置決めされ切換え端子組５３の上に押えられる押え部品５２と、絶縁本体１にも位置決めされかつ電気的に部分の切換え端子組５３の突付け端５３５と接続モジュール６との間に接続される切換え部品５１とを含み、他の部分の切換え端子組５３の突付け端５３４がこの切換え部品５１に介して電気的に回路基板２の溶接部２１に接続される。
【００１７】
押え部品５２の両端は、各々一つの第１の係止体５２１が設けられ、各第１の係止体５２１が、絶縁本体１の第１の係止部１１に対して、お互いに係止され位置決めされる。切換え部品５１の両端は、各々一つの位置決め孔５１３が設けられ、各位置決め孔５１３が、絶縁本体１の位置決め柱１３に対して、お互いに貫通され位置決めされ、かつ、切換え部品５１は、両対向側に設けられる第１、第２の導通部５１１、５１２を有し、接続モジュール６の各導通端子６１を切換え部品５１の第２の導通部５１２に電気的に接続可能になり、これらの導通端子６１は、図に示すような挟着端子構造或は他の図に示されない構造（これは従来の技術で、説明を省略）であり、その第１の導通部５１１は、切換え端子組５３の全ての突付け端５３４、５３５より貫通するためである。また、その第１の導通部５１１は、お互い位置ずれの両列の突付け挿孔を有することで、切換え端子組５３の挿着を交互に置ずれ可能にし、ピッチを減少するなどの効果がある。好ましいのは、切換え機構５の押え部品５２はさらに押え板５２２が増設され、押え板５２２の下縁は、切換え端子組５３の各端子の自由端（溶接端）を押し位置決めされ、かつ、各自由端（溶接端）に平面度が得られ、ＳＭＴ溶接しやすくなる。
【００１８】
切換え端子組５３は、第１〜第３の組５３１〜５３３を含み、その中には、両側に位置され比較的に短い突付け端５３５がある第１、第２の組５３１、５３２は、その突付け端５３５を切換え部品５１の第１の導通部５１１の対応部分に挿着させ、接続モジュール６からの信号を伝送しており、また中間に位置され比較的に長い突付け端５３４がある第３の組５３３は、その突付け端５３４を切換え部品５１の第１の導通部５１１の対応部分に挿着させ、かつ、各比較的に長い突付け端５３４がさらに電気的に回路基板２の溶接部２１に接続され、端子組３からの信号を伝送する。また、前記の第１〜第３の組５３１〜５３３は、個別に挿着してからの端子自由端に延び出し同じ列になり、押え板５２２より押され、位置決めされ平面度が得られる。
【００１９】
金属ケース７は、絶縁本体１の上に覆われる。前プレート８は、絶縁本体１の前側開口１４に設けられ、カードを挿着するときの位置制限としての用途である。このようにして、本考案の該実施例のカード挿着装置を構成する。
【００２０】
そのため、本考案の該実施例の全ての端子組３と接続モジュール６は、切換え機構５の切換えによりその端子溶接端を片側一列に突出することができ、切換え端子組５３の全ての溶接端が、さらに押え板５２２の押しにより位置決めされ平面度が得られ、また、接続モジュール６と切換え部品５１は、共に着脱できるため、製造者は必要に応じてモジュール化に取り外して交換させ（例えば、元々ＳＭカードに適応する接続モジュールと切換え部品を、ＣＦ（登録商標）カードに適応する接続モジュールと切換え部品に交換する。）、他の電子カードに適応し、かつ、カード挿着装置全体に別に型作りにて製造する必要がなくなり、製造コストが下げられる。
【００２１】
以上のように、本考案の構造は、切換え機構５の切換え及び押え板５２２の押しにより、共に確実かつ有効にその回路基板２を片側一列に切換え端子組５３の自由端の各溶接端を突出させることができ、かつ、平面度を良好にすることで、溶接しやすく、溶接漏らし難く、溶接外れし難く、溶接直しやすく、ならびに加工便利の効果を達成でき、かつ、そのうちの一つの電子カードの端子組をモジュール化の接続モジュール６に設けさせ、かつ、切換え機構５も相応の切換え部品５１で配合することで、製造するときにモジュール化で他の構造に変わり易く、他の電子カードに適応できる効果があり、また、カード挿着装置全体に別に型作りにて製造する必要がなくなり、製造コストが下げられる。
【図面の簡単な説明】
【００２２】
【図１】本考案のカード挿着装置の分解斜視図である。
【図２】本考案のカード挿着装置の背面から見るときの部分分解斜視図である。
【図３】本考案のカード挿着装置の背面から見るよきの部分組合斜視図である（接続モジュール、切換え部品及び金属ケースなど共に取り付けされない）。
【図４】本考案のカード挿着装置の背面から見るときの組合斜視図である。
【図５】本考案のカード挿着装置の断面を示す図（一）である。
【図６】本考案のカード挿着装置の断面を示す図（二）である。
【符号の説明】
【００２３】
１    絶縁本体
２    回路基板
３    端子組
４    渋滞防止機構
５    切換え機構
６    接続モジュール
７    金属ケース
８    前プレート
９    電子カード
１１  第１の係止部
１２  第２の係止体
１３  位置決め柱
１４  開口
１５  端子溝
２１  溶接部
３１〜３３  第１〜第３の端子組
４１  浮上板
４２  ばね部品
５１  切換え部品
５２  押え部品
５３  切換え端子組
６０  本体
６１  導通端子
６２  接触端子
５１１、５１２  第１、第２の導通部
５１３  位置決め孔
５２１  第１の係止体
５２２  押え板
５３１〜５３３  第１〜第３の組
５３４  突付け端
５３５  突付け端
６０１  第２の係止部